【事件の表示】
　特願２０１１−　９４３０４「画像提供システム，画像提供装置，画像表示方法，およびプログラム」拒絶査定不服審判事件〔平成２４年１１月１５日出願公開，特開２０１２−２２７７８４，請求項の数（８）〕について，次のとおり審決する。
【結　論】
　原査定を取り消す。
　本願の発明は，特許すべきものとする。
【理　由】
第１　手続の経緯
　本願は平成２３年４月２０日の出願であって，その手続の経緯は以下のとおりである。
　平成２６年　６月２０日　　：手続補正
　平成２７年　４月　９日付け：拒絶理由通知
　平成２７年　６月１２日　　：手続補正
　平成２７年　８月２５日付け：拒絶査定
　平成２７年　９月１５日　　：拒絶査定の謄本の送達
　平成２７年１１月１６日　　：拒絶査定不服審判の請求
　平成２７年１１月１６日　　：手続補正
　平成２７年１２月２８日付け：前置報告
　平成２８年　２月　８日　　：上申書の提出
第２　平成２７年１１月１６日付けの手続補正について
１　補正の内容
　平成２７年１１月１６日付けの手続補正（以下「本件補正」という。）は，本件補正前の特許請求の範囲の請求項６の記載を，後掲の本件補正後の請求項６の記載とする補正を含んでいる（下線は，審判請求人が示した補正箇所である。）。
（補正前）
「【請求項６】
　遊戯用撮影装置で作成されたプレイ画像をネットワークを介して提供するための画像提供装置であって，
　前記遊戯用撮影装置で作成されたプレイ画像を取得するとともに，該プレイ画像の作成に関する日付または取得に関する日付を示す日付情報を取得する取得部と，
　前記プレイ画像および前記日付情報を関連付けたプレイ情報を記憶する記憶部と，
　前記プレイ画像を特定する情報を含む，前記画像提供装置のＵＲＬへの，前記端末装置からのアクセスを受け付けるアクセス受付部と，
　前記アクセスが受け付けられると，前記記憶部に記憶されたプレイ情報のうち前記ＵＲＬで特定されるプレイ画像である対象プレイ画像を含むプレイ情報に基づいて，前記対象プレイ画像を前記端末装置の表示部に表示されるカレンダ上に表示するための表示用データを作成する表示用データ作成部と，
　前記表示用データを前記端末装置に送信する表示用データ送信部と，を備える
　画像提供装置。」
（補正後）
「【請求項６】
　遊戯用撮影装置で作成されたプレイ画像をネットワークを介して
端末装置に
　前記遊戯用撮影装置で作成されたプレイ画像を取得するとともに，該プレイ画像の作成に関する日付または取得に関する日付を示す日付情報を取得する取得部と，
　前記プレイ画像および前記日付情報を関連付けたプレイ情報を記憶する記憶部と，
　前記プレイ画像を特定する情報を含む，前記画像提供装置のＵＲＬへの，前記端末装置からのアクセスを受け付けるアクセス受付部と，
　前記アクセスが受け付けられると，前記記憶部に記憶されたプレイ情報のうち前記ＵＲＬで特定されるプレイ画像である対象プレイ画像を含むプレイ情報に基づいて，前記対象プレイ画像を前記端末装置の表示部に表示されるカレンダ上に表示するための表示用データを作成する表示用データ作成部と，
　前記表示用データを前記端末装置に送信する表示用データ送信部と，を備える
　画像提供装置。」
２　補正の目的要件等について
　本件補正は，請求項６に記載した発明を特定するために必要な事項である「遊戯用撮影装置で作成されたプレイ画像をネットワークを介して提供するための画像提供装置」について，前記プレイ画像の提供先を「端末装置」とする旨の限定を付加するものであって，補正前の請求項６に記載された発明と補正後の請求項６に記載された発明の産業上の利用分野及び解決しようとする課題が同一であるから，特許法第１７条の２第５項第２号の特許請求の範囲の限定的減縮を目的とするものに該当する。また，同法第１７条の２第３項，第４項に違反するところもない。
　さらに，本件補正は，請求項１，７，８において，明らかな誤記を正す補正事項をも含んでいるところ，当該補正事項は，同法第１７条の２第５項第３号の誤記の訂正を目的とするものに該当し，同法第１７条の２第３項，第４項に違反するところもない。
３　独立特許要件について
　請求項６に係る本件補正は，特許請求の範囲の限定的減縮減を目的とするものであるから，本件補正後の請求項６に係る発明が特許出願の際独立して特許を受けることができるものであるか否か（特許法第１７条の２第６項において準用する同法第１２６条第７項の規定に適合するか否か）について，以下に検討する。
（１）補正後発明
　本件補正後の請求項６に係る発明は，平成２７年１１月１６日付けの手続補正書により補正された明細書，特許請求の範囲及び図面の記載からみて，その特許請求の範囲の請求項６に記載された事項に基づき特定される，以下のとおりの発明（以下「補正後発明」という。）であると認める。なお，次のように，当審において，（Ａ）から（Ｇ）までの記号を，説明のために付与した。以下，構成要件Ａ，構成要件Ｂなどと称することとする。
（Ａ）遊戯用撮影装置で作成されたプレイ画像をネットワークを介して端末装置に提供するための画像提供装置であって，
（Ｂ）前記遊戯用撮影装置で作成されたプレイ画像を取得するとともに，該プレイ画像の作成に関する日付または取得に関する日付を示す日付情報を取得する取得部と，
（Ｃ）前記プレイ画像および前記日付情報を関連付けたプレイ情報を記憶する記憶部と，
（Ｄ）前記プレイ画像を特定する情報を含む，前記画像提供装置のＵＲＬへの，前記端末装置からのアクセスを受け付けるアクセス受付部と，
（Ｅ）前記アクセスが受け付けられると，前記記憶部に記憶されたプレイ情報のうち前記ＵＲＬで特定されるプレイ画像である対象プレイ画像を含むプレイ情報に基づいて，前記対象プレイ画像を前記端末装置の表示部に表示されるカレンダ上に表示するための表示用データを作成する表示用データ作成部と，
（Ｆ）前記表示用データを前記端末装置に送信する表示用データ送信部と，を備える
（Ｇ）画像提供装置。
（２）引用発明等
（２−１）引用例１の記載及び引用発明
（２−１−１）引用例１の記載
　原査定の拒絶の理由に引用された特開２００９−９１４２号公報（以下「引用例１」という。）には，「画像表示装置，画像表示装置の制御方法，及びプログラム」として，図面とともに以下の事項が記載されている。
ア　「【発明の詳細な説明】
【技術分野】
【０００１】
  
本発明は，
情報検索カレンダ表示システム
に関する。
【発明の開示】
【発明が解決しようとする課題】（略）
【０００７】
  
本発明は，
撮影画像と共に
カレンダを表示している場合に好適なものであり，
カレンダと撮影画像を連動させて表示する
情報検索カレンダ表示システム
の提供を目的とする。」
イ　「【０１１９】
  （実施形態２）
  
本実施形態では，カレンダに指定又は選択された期間（時間帯，日，週，又は月）内に撮影された画像やその縮小画像を
表示する。
ウ　「【０１９５】
  ＜応用例＞
  図２９は，上記画像検索型カレンダ表示システムのネットワーク構成例を示す図である。以下，携帯電話に本発明のカレンダと画像の連動表示方法を適用した，画像検索型カレンダ表示システムの一例について図２９を基に説明する。
  
画像検索型カレンダ表示システム８００は，図２９に示すように，インターネット等の通信ネットワーク７００に接続するデータベース５２０を備えたサーバ５１０と，携帯電話等の携帯情報端末（以下，携帯電話）６１０
からなる。
【０１９６】
  
サーバ５１０は携帯電話６１０
等の端末（以下，「情報端末」と記す）から，画像検索型カレンダ表示指示があると指定された月のカレンダを生成してそのカレンダの日付に対応付けられた縮小画像データと共に生成したカレンダデータを要求元の情報端末に送信し，画像送信要求があるとデータベース５２０から要求された画像データ及びメッセージデータを取り出して要求元の情報端末宛てに送信する。
【０１９７】
  
データベース５２０には，
カレンダ表示用のフォーマットや，
所定のジャンル（分野）別，月別，及び日別の順に分類された画像ファイル（縮小画像データ及びその元画像の圧縮画像データ），各画像に対応付けられたメッセージデータ，ＵＲＬ，
等が登録されている。
【０１９８】
 
 図３０は，携帯電話
による画像検索型カレンダ表示動作時に表示される画面の例
【０１９９】
  図３０（ｃ）は，図３０（ｂ）で選択されたジャンルの月間カレンダであり，
当初は選択されたジャンルの現在月のカレンダが表示され，その月に該当する画像の縮小画像が対応する日付欄に表示される。
【０２００】
  図３０（ｄ）は，図３０（ｃ）で日付欄の縮小画像を選択・指定すると表示される画面であり，符号３１５は選択・指定された縮小画像の元画像，符号３１６は説明用メッセージ，符号３１７は表示された画像３１５に関連するホームページのアドレスを示すＵＲＬ，符号３１８は指定すると図３０（ｃ）に戻る「戻り」ボタン，符号３１９は詳細情報表示指示を示す。なお，ＵＲＬ３１７のうちの一つを指定すると指定されたＵＲＬで規定されるホームページにリンクする。
【０２０１】
  図３０（ｅ）はホームページ又は詳細情報の表示画面であり，符号３２０は指定すると図３０（ｄ）に戻る「戻り」ボタン，符号３２１は指定すると処理を終了する「終了」ボタンを示す。図３０（ｄ）でＵＲＬが指定されるとホームページが表示され，符号３１９が選択されると画像３１５に関連する詳細情報が表示される。
【０２０２】
  図３０の例では，情報端末を起動すると図３０（ａ）のメニュー画面が表示されるのでユーザが「ジャンル別カレンダ検索」メニューを選択すると，図３０（ｂ）に示すようなジャンル別カレンダ選択画面が表示される。ユーザが「１．季節の花だより」を選択すると図３０（ｃ）に示すような花便りに関連する縮小画像を日付欄に表示した現在月の月間カレンダが表示される。ユーザが年月選択欄３１３でカレンダの年月を選択・指定するとその年月のカレンダ３１１及びその月の花に関連する画像の縮小画像が表示される。
【０２０３】
  図３０（ｃ）で表示されている縮小画像を選択・指定すると図３０（ｄ）に示す花の画像（指定された縮小画像の元画像）３１５と説明メッセージ３１６，関連するホームページのＵＲＬ３１７，詳細情報表示指示３１９等が表示される。
【０２０４】
  図３０（ｄ）でＵＲＬが指定されると図３０（ｅ）に画像３１５に係わる情報を含むホームページが表示され，詳細情報表示指示３１９が指定されると画像３１５に係わる詳細情報が表示される。
【０２０５】
  図３１は，画像検索型カレンダ表示システムパソコンにおける各種端末とサーバの動作例を示すフローチャートであり，図３１（ａ）は情報端末としての携帯電話６１０の動作例を示し，図３１（ｂ）はサーバの動作例を示す。なお，本応用例では情報端末として携帯電話を例として説明するが情報端末はこれに限定されない。
【０２０６】
  ・携帯電話側の動作
  図３１（ａ）で，携帯電話６１０が起動されると携帯電話の制御部は動作プログラムに従って図３０（ａ）に示すようなメニュー画面を表示してユーザに選択を促す（ステップＹ１）。ユーザが「ジャンル別カレンダ検索」メニューを選択するとプログラム送信要求が通信ネットワーク７００を介してサーバ５１０に送信される（ステップＹ２）。
【０２０７】
  次に，携帯電話６１０の制御部は通信ネットワーク７００を介してサーバ５１０から送信された画像検索型カレンダ表示動作プログラムをＲＡＭ等の一時記憶メモリにダウンロードし（ステップＹ３），ダウンロードした画像検索型カレンダ表示動作プログラムに従って図３０（ｂ）に示すようなジャンル別カレンダ選択画面を表示してジャンルの選択を促す（ステップＹ４）。
【０２０８】
  ユーザが図３０（ｂ）に示されているジャンルの一つ，例えば，「１．季節の花だより」，を選択すると，携帯電話の制御部は画像検索型カレンダ表示動作プログラムに従って，選択されたジャンル情報及び現在年月を含むカレンダ送信要求を通信ネットワーク７００を介してサーバ５１０に送信する（ステップＹ５）。
【０２０９】
  携帯電話６１０の制御部は通信ネットワーク７００を介してサーバ５１０から送信された現在年月のカレンダデータ及び日付に対応付けられた縮小画像データを受信すると，図３０（ｃ）に示すように上記ステップＹ５で選択されたジャンルにかかわる縮小画像を対応する日付欄に表示した現在月の月間カレンダ３１１を表示する（ステップＹ６）。
【０２１０】
  ユーザがカレンダ３１１で縮小画像を選択・指定するとステップＹ１１に進み（ステップＹ７），カレンダ３１１の年月選択欄３１３でカレンダの年月を選択・指定すると（ステップＹ８），携帯電話の制御部は画像検索型カレンダ表示動作プログラムに従って，選択されているジャンル情報及び指定された年月を含むカレンダ送信要求を通信ネットワーク７００を介してサーバ５１０に送信する（ステップＹ９）。
【０２１１】
  携帯電話６１０の制御部は通信ネットワーク７００を介してサーバ５１０から送信された指定年月のカレンダデータ及び日付に対応付けられた縮小画像データを受信すると図３０（ｃ）に示すように上記ステップＹ５で選択されたジャンルにかかわる縮小画像を対応する日付欄に表示した指定年月の月間カレンダを表示してステップＹ７に戻る（ステップＹ１０）。
【０２１２】
  ユーザが月間カレンダ３１１に表示されている縮小画像を選択・指定すると，携帯電話６１０の制御部は通信ネットワーク７００を介してサーバ５１０に指定された縮小画像識別情報を含む画像等送信要求を送信し（ステップＹ１１），サーバ５１０から指定した縮小画像の元画像データ（圧縮画像データ）やメッセージデータ，ＵＲＬ情報，及び詳細情報を受信すると図３０（ｄ）に示すように画像３１５，説明メッセージ３１６，及びＵＲＬ３１７を含む説明画面を表示する（ステップＹ１２）。
【０２１３】
  図３０（ｄ）でユーザがＵＲＬを選択・指定すると携帯電話６１０の制御部は通信ネットワーク７００に指定されたＵＲＬを送出し（ステップＹ１３），ホームページをダウンロードして表示する（ステップＹ１４）。また，図３０（ｄ）で詳細情報表示指示３１９が指定されると（ステップＹ１５），上記ステップＹ１２で受信した詳細情報を表示する（ステップＹ１６）。
【０２１４】
  なお，上記ステップＹ６で縮小画像を画面上の他の画像の表示サイズ（例えば，日付欄の大きさ）等に合わせて相対的に拡大又は縮小して表示することが望ましい。更に，ステップＹ１２で元画像の再生画像を画面上の他の画像の表示サイズ等に合わせて相対的に拡大又は縮小して表示するようにしてもよい。
【０２１５】
  ・サーバ側の動作
  図３１（ｂ）で，携帯電話６１０からプログラム送信要求を受信すると（ステップＺ１），サーバ５１０はデータベース５２０から画像検索型カレンダ表示動作プログラムを取り出してプログラム送信要求元の端末（この場合は，携帯電話６１０）宛てに送信する（ステップＺ２）。
【０２１６】
  また，携帯電話６１０からジャンル情報及び年月を含むカレンダ送信要求を受信すると（ステップＺ３），サーバ５１０は受信した年月のカレンダデータを生成すると共に（ステップＺ４），データベース５２０から受信したジャンルの指定された年月の縮小画像データを取り出して生成したカレンダデータと共にカレンダ送信要求元の端末宛てに送信する（ステップＺ５）。
【０２１７】
  また，携帯電話６１０から縮小画像識別情報とジャンル情報を含む画像等送信要求を受信すると（ステップＺ６），サーバ５１０は受信した縮小画像識別情報を元に当該縮小画像データの元画像データ（圧縮画像データ）とそれに関連するメッセージデータ，ＵＲＬ情報及び詳細情報をデータベース５２０から取り出して送信要求元の端末宛てに送信する（ステップＺ７）。
【０２１８】
  上記図３１のフローチャートに示した動作により，携帯電話６１０のユーザは指定したジャンルの画像情報を月間カレンダで一覧できるので，何日に所望のイベントが開催されるかとか，いつごろ何処の蓮の花が開花しそうだといった情報を一目で把握できる。また，カレンダに表示されている画像を選択・指定するといった簡単でかつ最小の操作で詳細な情報を閲覧できる。」
（２−１−２）引用発明
　上記（２−１−１）の摘記事項アないしウ及び関連する図面並びにこの分野における技術常識を考慮して引用例１の記載を検討する。
（ア）ａ　上記ア及びイには，カレンダと，撮影画像やその縮小画像を連動させて表示する，情報検索カレンダ表示システムが，引用例１に開示されていることについて記載されている。
　ｂ　上記ウには，画像検索型カレンダ表示システム８００には，データベース５２０を備えたサーバ５１０と，携帯電話６１０とが，通信ネットワーク７００を介して接続されていることについて記載されている。
　ｃ　上記ウには，サーバ５１０が，携帯電話６１０から，画像検索型カレンダ表示指示があると，要求元の携帯電話６１０に対し，カレンダの日付に対応付けられた縮小画像データと共に生成したカレンダデータを送信し，また，前記携帯電話６１０から，画像送信要求があると，画像データを送信することについて記載されている。
　以上の記載を踏まえると，引用例１には，『撮影画像を，通信ネットワークを介して携帯電話に提供するサーバ』が記載されているといえる。
（イ）　上記ウには，サーバ５１０が備えるデータベース５２０には，所定のジャンル（分野）別，月別，及び日別の順に分類された画像ファイル（縮小画像データ及びその元画像の圧縮画像データ）等が登録されていることについて記載されている。
　以上の記載を踏まえると，引用例１には，前記サーバが，『日別に分類された前記撮影画像の画像ファイルを登録するデータベースを備え』ることについて記載されているといえる。
（ウ）　引用例１には，上記（ア）ｃに示した事項，及び上記（イ）に示した事項が記載され，さらに，上記ウに示されているように，携帯電話６１０による画像検索型カレンダ表示動作時に表示される画面において，月のカレンダと，その月に該当する画像の縮小画像が，対応する日付欄に表示されることについて記載されている。
　以上の記載を踏まえると，引用例１には，前記『サーバ』が，『携帯電話からの画像検索型カレンダ表示指示がなされると』，『当該指示により，前記データベースに登録された前記画像ファイルに基づいて，携帯電話の画面に表示するための，縮小画像データとカレンダデータとを生成し』，『前記縮小画像データと前記カレンダデータとを，前記携帯電話に送信する』ことについて記載されているといえる。
（エ）　まとめ
　以上によれば，引用例１には，次の発明（以下「引用発明」という。）が開示されている。なお，引用発明に対し，下記のとおり，当審において，（ａ）から（ｆ）までの記号を説明のために付与した。以下，構成要件ａ，構成要件ｂなどと称することとする。
（引用発明）
（ａ）撮影画像を，通信ネットワークを介して携帯電話に提供するサーバであって，
（ｂ）日別に分類された前記撮影画像の画像ファイルを登録するデータベースを備え，
（ｃ）前記携帯電話からの画像検索型カレンダ表示指示がなされると，
（ｄ）当該指示により，前記データベースに登録された前記画像ファイルに基づいて，携帯電話の画面に表示するための，縮小画像データとカレンダデータとを生成し，
（ｅ）前記縮小画像データと前記カレンダデータとを，前記携帯電話に送信する，
（ｆ）サーバ。
（２−２）引用例２の記載及び技術事項
（２−２−１）引用例２の記載
　原審の拒絶の理由に引用された特開２００７−２４９２７１号公報（以下「引用例２」という。）には，「プリントサービスシステム，写真提供サーバ，写真提供サーバの制御方法，および写真提供サーバの制御プログラム」として，図面とともに以下の事項が記載されている。
ア　「【発明を実施するための最良の形態】
【００２３】
  図１は，本発明の実施の形態の１つにおけるプリントサービスシステムの構成を示す図である。
【００２４】
  図を参照して，プリントサービスシステムは，コイン制御部１１２を備えた写真シール作成装置３００と，画像記憶部４０４を備えた写真提供サーバ４００と，出力サーバ５００と，コイン制御部６１２およびタッチパネルディスプレイ６４１を供える出力端末６００とから構成される。
【００２５】
  
ユーザはコイン制御部１１２にコインを投入することで，写真シール作成装置３００で写真撮影を行なう。撮影された写真はシールシートとなって出力される。また，写真シール作成装置３００は，インターネットを介して撮影により得られた写真画像とそれに対応するＩＤとを写真提供サーバ４００に送信する。写真提供サーバ４００は，画像記憶部４０４に写真画像とそれに対応するＩＤとを記憶する。
【００２６】
  
あるいは，ユーザは所持するユーザ端末（携帯電話，パーソナルコンピュータなど）２００ａに携帯電話に付属のカメラやデジタルカメラ等で撮影することにより得られた写真画像を，インターネットを介して写真提供サーバ４００に送信することもできる。
イ　「【００５８】
  図５および６は，プリントサービスシステムの動作を示すフローチャートである。
  図を参照して，ステップＳ１０１において，写真シール作成装置３００で写真画像を作成する処理が行なわれる。ステップＳ１０３において，
写真シール作成装置３００は，写真画像とそれを特定するためのＩＤとを写真提供サーバ４００に送信する。
【００５９】
  ステップＳ１０５において
写真提供サーバ４００は，受信した写真画像とＩＤとを画像記憶部４０４の所定領域（ここでは非会員用の記憶エリア）に記憶する。
ユーザ端末２００ａから写真提供サーバ４００に写真画像の閲覧要求があった場合，
ユーザ端末２００ａに該当写真画像を表示し，
ウ　「【００６６】
  図７は，写真シール作成装置３００の動作を示すフローチャートである。
  図を参照してステップＳ２０１で，所定数のコインの投入が行なわれる。ステップＳ２０３で撮影処理が行なわれる。ステップＳ２０５で，
撮影により得られた画像に対して落書き処理（合成画像の入力処理）が行なわれる。
【００６７】
  ステップＳ２０９で設定された条件で印刷が開始される。印刷中において，ステップＳ２１１で送信する画像を選択する処理が行なわれ，送信を行なうメールアドレスをユーザから入力する処理が行なわれる。これに基づいて，
写真提供サーバ４００へ写真画像，ＩＤおよびメールアドレスを通知する処理が行なわれる。
（２−２−２）引用例２記載の技術事項
　上記（２−２−１）の摘記事項アないしウ及び関連する図面並びにこの分野における技術常識を考慮すると，引用例２には，以下の技術事項が記載されている。
　「撮影により得られた画像に落書き処理を行える写真シール作成装置や，デジタルカメラ等のユーザ端末で得られた画像を，サーバに送信し，当該サーバが当該画像を記憶すること，及びユーザ端末から前記サーバへの要求があると，前記画像を当該ユーザ端末に表示すること。」
（２−３）引用例３の記載及び技術事項
（２−３−１）引用例３の記載
　特開２００３−２５６０９８号公報（以下「引用例３」という。なお，引用例３は，平成２７年１２月２８日付け前置報告において引用されている。）には，「日付情報入力方法及びそのシステム並びに日付／時間情報入力方法及びそのシステム」として，図面とともに以下の事項が記載されている。
「【００１４】
【発明の実施の形態】［日付情報入力システム］本発明に係る日付情報入力システムの一実施形態について図１から図３に基づいて説明する。
【００１５】先ず，本実施形態の日付情報入力システムの構成を図１を用いて説明する。
この図１に示す日付情報入力システムは，ユーザが使用する端末（以下「ユーザ端末」という。）１と，このユーザ端末１にインターネット２を介して情報を提供するＷｅｂサーバ３とを備える。
【００１６】上記Ｗｅｂサーバ３には，図示しない中央処理装置（ＣＰＵ）及び主記憶装置（メモリ）を有する制御部３１と，Ｗｅｂアプリケーションプログラムが格納されたプログラム格納部３２と，図２（ａ）に示す日付入力欄１０ａ，カレンダー表示釦（カレンダー表示手段）１０ｂ及び日付変更釦（日付変更手段）１０ｃから成る日付設定領域を有するアプリケーション画面（日付設定画面）１０に係るデータが格納されたアプリケーション画面格納部３３と，図２（ｂ）に示すカレンダー画面１１に係るデータが格納されたカレンダー画面格納部３４と，現在の年月日及び時刻の管理を行う時計３５とが設けられている。
【００１７】ここで，図２（ａ）に示すアプリケーション画面１０とは，ユーザ端末１のＷｅｂブラウザに表示される画面であって，例えばホテルや旅行の予約に関するＷｅｂアプリケーションの場合は予約申込を行う際の画面のことをいう。（略）
【００２１】続いて，図２（ｂ）に示すカレンダー画面１１とは，上記カレンダー表示釦１０ｂが押下されることによってユーザ端末１のＷｅｂブラウザ上に表示される画面であって，各日付が釦（日付釦）１１ａとして構成された画面である。（略）
【００２４】上記アプリケーション画面作成／送信機能３１ａとは，
ユーザからのアプリケーション画面表示要求（ＵＲＬ送信）により，アプリケーション画面格納部３３から読み込んだデータに基づいてかかるアプリケーション画面１０を作成し，ユーザ端末１に送信する
【００２５】続いて，カレンダー作成／送信機能３１ｂとは，
ユーザからのカレンダー表示要求（カレンダー表示釦１０ｂの押下によるＵＲＬ送信）により，カレンダー画面格納部３４から読み込んだデータに基づいてかかるカレンダー画面１１を作成し，ユーザ端末１に送信する
【００２８】以上の如く構成した日付情報入力システムの動作について図３を用いて説明する。
【００２９】
先ず，ユーザはユーザ端末１のＷｅｂブラウザ上からＷｅｂサーバ３にアプリケーション画面表示要求（アプリケーション画面１０をＷｅｂブラウザ上に表示させる為のＵＲＬ送信）を行う
そのアプリケーション画面１０がユーザ端末１のＷｅｂブラウザ上に表示される
【００３０】ここで，Ｗｅｂアプリケーションによっては予め日付入力欄１０ａに日付を入力してＷｅｂブラウザ上に表示する場合もあるので，ユーザは，日付が入力済みであるか否かを確認する（ステップＳＴ４）。ユーザは，日付が入力済みである場合は後述するステップＳＴ１２に進み，未入力の場合は
アプリケーション画面１０のカレンダー表示釦１０ｂをマウス等の入力手段を用いて押下してカレンダー表示要求を行う
かかる場合，ユーザ端末１の制御部は，カレンダー表示釦１０ｂに関連付けられたＵＲＬ（カレンダー画面１１をＷｅｂブラウザ上に表示させる為のＵＲＬ）をＷｅｂサーバ３に送信する。これにより，Ｗｅｂサーバ３の制御部３１は，カレンダー作成／送信機能３１ｂにより，カレンダー画面格納部３４からカレンダー画面１１に係るデータを読み込み，そのデータに基づきカレンダー画面１１を作成してユーザ端末１に送信する
そして，そのカレンダー画面１１がユーザ端末１のＷｅｂブラウザ上に表示される
（２−３−２）引用例３記載の技術事項
　上記（２−３−１）の摘記事項及び関連する図面並びにこの分野における技術常識を考慮すると，引用例３には，以下の技術事項が記載されている。
　「ユーザ端末からサーバに，カレンダー画面を表示させるためのＵＲＬを送信すると，前記サーバがカレンダー画面を前記ユーザ端末に送信し，前記ユーザ端末で前記カレンダー画面が表示されること。」
（３）対比
　補正後発明と引用発明とを対比する。
（３−１）構成要件Ａ，Ｇと構成要件ａ，ｆとの対比
ア　引用発明における「通信ネットワーク」，「携帯電話」が，それぞれ，補正後発明の「ネットワーク」，「端末装置」に相当することは，明らかである。また，引用発明における「サーバ」は，撮影画像を携帯電話に提供するものであるから，補正後発明の「画像提供装置」に相当する。
イ　引用発明における「撮影画像」と，補正後発明の「遊戯用撮影装置で作成されたプレイ画像」とは，撮影により作成された画像，すなわち，「撮影画像」という点で共通する。
ウ　以上によれば，引用発明の構成要件ａと，補正後発明の構成要件Ａとは，「撮影画像をネットワークを介して端末装置に提供するための画像提供装置」という点で共通する。
　しかしながら，撮影画像が，補正後発明では，「遊戯用撮影装置で作成されたプレイ画像」であることについて特定されているのに対し，引用発明では，そのような特定がなされておらず，この点で両発明は相違する。
（３−２）構成要件Ｂ，Ｃと構成要件ｂとの対比
ア　引用発明における，「登録」，「データベース」は，それぞれ，補正後発明の「記憶」，「記憶部」に相当する。
イ　引用発明の「日別に分類された」前記撮影画像の「画像ファイル」についてみると，上記（２−１−２）（ア）ｃに示したように，撮影画像の縮小画像が，カレンダの日付に対応付けられるのであるから，当該画像ファイルには，当該対応付けのために，「撮影画像」と，当該撮影画像に「関する日付を示」す「日付情報とを関連付け」た「情報」が含まれていることいえる。
　そして，引用発明において，補正後発明の「画像提供装置」に相当するサーバが備えたデータベースにおいて，そのような画像ファイルを登録するということは，当該登録のために，前記サーバが，当該画像ファイルが含む撮影画像及び日付情報を「取得」しているのは明らかであって，前記サーバは，当該取得のための「取得部」を備えているといえる。
ウ　以上によれば，引用発明の構成要件ｂと，補正後発明の構成要件Ｂ，Ｃとは，前記画像提供装置が，「撮影画像を取得するとともに，該撮影画像に関する日付を示す日付情報を取得する取得部と，前記撮影画像および前記日付情報を関連付けた情報を記憶する記憶部」を備える点で共通する。
　しかしながら，撮影画像が，補正後発明では，「遊戯用撮影装置で作成されたプレイ画像」であることについて特定されているのに対し，引用発明では，そのような特定がなされておらず，この点で，補正後発明と引用発明とは相違する。そして，前記関連付けた情報が，補正後発明では，「プレイ」情報といえるものであるのに対し，引用発明では，そのようにいえるものではない点で，両発明は相違する。
　さらに，日付情報の示す日付が，補正後発明では，撮影画像の「作成」または「取得」に関する日付であるのに対し，引用発明では，どのような日付であるのかが特定されておらず，この点で両発明は相違する。
（３−３）構成要件Ｄと構成要件ｃとの対比
ア　上記（３−１）アに示したように，引用発明における「携帯電話」は，補正後発明の「端末装置」に相当する。また，「画像検索型カレンダ表示指示」は，前記携帯電話から，補正後発明の「画像提供装置」に相当するサーバに対してなされるものであり，その際に，当該サーバが前記指示のためのアクセスを受け付けていることは明らかであるから，前記サーバは，前記携帯電話「からのアクセスを受け付けるアクセス受付部」を備えているといえる。
イ　以上によれば，引用発明の構成要件ｃと，補正後発明の構成要件Ｄとは，前記画像提供装置が，「前記端末装置からのアクセスを受け付けるアクセス受付部」を備える点で共通する。
　しかしながら，画像提供装置への端末装置からのアクセスが，補正後発明では，「前記プレイ画像を特定する情報を含む，前記画像提供装置のＵＲＬへの」アクセスであることについて特定されているのに対し，引用発明では，そのような特定はなされておらず，この点で両発明は相違する。
（３−４）構成要件Ｅと構成要件ｄとの対比
ア　上記（３−１）アに示したように，引用発明における「携帯電話」は，補正後発明の「端末装置」に相当する。また，上記（３−２）アに示したように，引用発明における，「データベース」，「登録」は，それぞれ，補正後発明の「記憶部」，「記憶」に相当する。
　また，引用発明における「当該指示により」なされる処理は，上記（３−３）アの検討を踏まえると，「前記アクセスが受け付けられ」ることによりなされる処理といえる。
イ　引用発明における「前記画像ファイルに基づいて」縮小画像データとカレンダデータとを作成する処理は，上記（３−２）イの検討を踏まえると，「前記関連付けた情報に基づいて」なされるものということができる。
　また，引用発明において「縮小画像データとカレンダデータとを生成」することは，「撮影画像を携帯電話」で「表示されるカレンダ上に表示するため」に行っていることであり，そのための「表示用データを作成」しているということができる。そうすると，補正後発明の「画像提供装置」に相当するサーバが，そのような表示用データを作成する「表示用データ作成部」を備えているといえる。また，携帯電話での表示が，携帯電話の「表示部」でなされることは，明らかである。
ウ　以上によれば，引用発明の構成要件ｄと，補正後発明の構成要件Ｅとは，前記画像提供装置が，「前記アクセスが受け付けられると，前記記憶部に記憶された，前記関連付けた情報に基づいて，撮影画像を前記端末装置の表示部に表示されるカレンダ上に表示するための表示用データを作成する表示用データ作成部」を備える点で共通する。
　しかしながら，前記関連付けた情報に関し，補正後発明では，「前記ＵＲＬで特定されるプレイ画像である対象プレイ画像を含むプレイ情報」であることについて特定されているのに対し，引用発明では，そのような特定がなされていない点で，両発明は相違する。
　また，端末装置に表示される撮影画像が，補正後発明では，前記ＵＲＬで特定されるプレイ画像である「対象プレイ画像」であることについて特定されているのに対し，引用発明では，そのような特定がなされていない点で，両発明は相違する。
（３−５）構成要件Ｆと構成要件ｅとの対比
ア　上記（３−４）イの検討を踏まえると，引用発明の「前記縮小画像データと前記カレンダデータ」は，補正後発明の「前記表示用データ」に相当するといえる。
　そして，補正後発明の「画像提供装置」に相当するサーバが，当該表示用データを送信するということは，前記サーバは「表示用データ送信部」を備えているということができる。
イ　以上によれば，引用発明の構成要件ｅ「前記縮小画像データと前記カレンダデータとを，前記携帯電話に送信する，」は，補正後発明の構成要件Ｆ「前記表示用データを前記端末装置に送信する表示用データ送信部と，を備える」に相当する。
（３−６）まとめ
　上記（３−１）ないし（３−５）に示した対比結果に基づき，補正後発明と引用発明との一致点と相違点とをまとめると，以下のとおりである。
（一致点）
「撮影画像をネットワークを介して端末装置に提供するための画像提供装置であって，
　撮影画像を取得するとともに，該撮影画像に関する日付を示す日付情報を取得する取得部と，
　前記撮影画像および前記日付情報を関連付けた情報を記憶する記憶部と，
　前記端末装置からのアクセスを受け付けるアクセス受付部と，
　前記アクセスが受け付けられると，前記記憶部に記憶された，前記関連付けた情報に基づいて，撮影画像を前記端末装置の表示部に表示されるカレンダ上に表示するための表示用データを作成する表示用データ作成部と，
　前記表示用データを前記端末装置に送信する表示用データ送信部と，を備える
　画像提供装置。」
（相違点１）
　撮影画像が，補正後発明では，「遊戯用撮影装置で作成されたプレイ画像」であることについて特定されているのに対し，引用発明では，そのような特定がなされていない点
（相違点２）
　撮影画像および日付情報を関連付けた情報が，補正後発明では，「プレイ」情報といえるものであるのに対し，引用発明では，そのようにいえるものではない点
（相違点３）
　日付情報の示す日付が，補正後発明では，撮影画像の「作成」または「取得」に関する日付であるのに対し，引用発明では，どのような日付であるのかが特定されていない点
（相違点４）
　画像提供装置への端末装置からのアクセスが，補正後発明では，「前記プレイ画像を特定する情報を含む，前記画像提供装置のＵＲＬへの」アクセスであることについて特定されているのに対し，引用発明では，そのような特定がなされていない点
（相違点５）
　前記関連付けた情報に関し，補正後発明では，「前記ＵＲＬで特定されるプレイ画像である対象プレイ画像を含むプレイ情報」であることについて特定されているのに対し，引用発明では，そのような特定がなされていない点
（相違点６）
　端末装置に表示される撮影画像が，補正後発明では，前記ＵＲＬで特定されるプレイ画像である「対象プレイ画像」であることについて特定されているのに対し，引用発明では，そのような特定がなされていない点
（４）当審の判断
ア　上記（相違点１）ないし（相違点３）について
（ア）　まず，（相違点１）に係る構成について検討する。
　引用発明は，上記（２−１−１）に摘記したように，引用例１において，＜応用例＞として開示されている事項に基づいて認定したものである。その＜応用例＞には，撮影画像が，どのような装置で撮影されたものであるのか明記されていない。
　しかしながら，引用例１の他の記載箇所，例えば，段落【００４７】，【００６１】等をみると，デジタルカメラ１００で撮影した画像をカレンダと連動表示する態様が開示されており，このことからすると，引用例１には，引用発明における撮影画像を撮影する装置として，デジタルカメラが示唆されているといえる。
　ここで，引用例２には，上記（２−２−２）で示したように，デジタルカメラ等のユーザ端末で得られた画像を，サーバに送信し，当該サーバが当該画像を記憶すること，及びユーザ端末から前記サーバへの要求があると，前記画像を当該ユーザ端末に表示する技術が開示されている。加えて，引用例２には，上記（２−２−２）で示したように，前記画像が，撮影により得られた画像に落書き処理を行える写真シール作成装置で得られた画像である場合についても開示されている。
　そして，引用発明と，引用例２記載の技術は，撮影画像をサーバに記憶させておき，ユーザ側の端末からの要求により，当該端末に撮影画像を表示させる点で共通する。
　以上のことを踏まえると，引用発明に，引用例２記載の技術を適用し，サーバに記憶させる「撮影画像」として，引用例２に開示されているような写真シール作成装置で得られた画像，すなわち，「遊戯用作成装置で作成されたプレイ画像」を採用し，（相違点１）に係る構成に想到することは，当業者が容易になし得たことといえる。
（イ）　次に，（相違点２）に係る構成について検討する。
　上述の，引用発明への引用例２記載の技術の適用により，引用発明の「撮影画像」は，「遊戯用作成装置で作成されたプレイ画像」ということになる。そうすると，撮影画像および日付情報を関連付けた関連付け情報については，撮影画像がプレイ画像であることから，「プレイ情報」と称することができるといえる。
　よって，（相違点２）に係る構成も，引用発明に引用例２記載の技術を適用することにより，当業者が容易に想到し得たものといえる。
（ウ）　次いで，（相違点３）に係る構成について検討する。
　上述の，引用発明への引用例２記載の技術の適用により，引用発明の「撮影画像」は，「遊戯用作成装置で作成されたプレイ画像」ということになる。
　ここで，撮影画像を後で閲覧する際に，いつ撮影された画像であるかが分かるように，撮影画像に対し，撮影した日付の情報を関連付けることは，撮影装置における周知・慣用技術である。
　このことに鑑みれば，前記プレイ画像に関連付ける日付情報についても，遊戯用作成装置における画像の「作成」ないし「取得」に関する日付とすることは，ごく自然なことであり，上記適用に当たり当業者が適宜採用し得た設計的事項にすぎない。
（エ）　以上によれば，上記（相違点１）ないし（相違点３）に係る構成は，いずれも，引用発明に引用例２記載の技術を適用することにより，当業者が容易に想到し得たものといえる。
イ　上記（相違点４）ないし（相違点６）について
（ア）　まず，（相違点４）に係る構成について検討する。
　画像提供装置への端末装置からのアクセスについて，引用発明では，補正後発明のように，「前記プレイ画像を特定する情報を含む，前記画像提供装置のＵＲＬへの」アクセスであることについては，特定されていない。なお，引用例１には，上記（２−１−１）ウにおいて摘記した段落【０１９７】において，サーバ５１０の備えるデータベース５２０に，ＵＲＬが登録されている旨，記載されているが，当該ＵＲＬが何に係るものであるのかは明記されておらず，かえって，段落【０２００】をみると，日付欄の縮小画像を選択・指定して表示される画面において示される，画像に関連するホームページのアドレスのＵＲＬについて開示されている。このことからすると，段落【０１９７】の記載をもって，引用例１に，撮影画像を特定する情報を含むＵＲＬへのアクセスについて開示や示唆がなされているということはできない。
　他方，引用例３には，上記（２−３−２）で示したように，ユーザ端末からサーバに，カレンダー画面を表示させるためのＵＲＬを送信すると，前記サーバがカレンダー画面を前記ユーザ端末に送信し，前記ユーザ端末で前記カレンダー画面が表示されることについて記載されている。
　そして，引用発明も，引用例３記載の技術も，ともに，ユーザ側の端末からサーバにアクセスし，当該ユーザ側の端末でカレンダー画面を表示するという点で共通するから，引用発明に引用例３記載の技術を適用し，引用発明における前記アクセスを，ＵＲＬにより行うようにすることは，当業者が容易に想到し得たことといえる。
　しかしながら，引用例３には，そのＵＲＬが，撮影画像を特定する情報を含んだものであることについては，開示されていない。
　したがって，引用発明に，引用例３記載の技術を適用したとしても，補正後発明の，画像提供装置への前記端末装置からの，前記画像提供装置のＵＲＬへのアクセスについて，当該ＵＲＬが「前記プレイ画像を特定する情報を含む」という構成に到達することはできない。
　そして，このような構成により，前記画像提供装置にアクセスするＵＲＬで，カレンダ上に表示される画像をも特定することができることに鑑みれば，当該構成が，上記適用に伴ってなされる設計的事項にすぎない，ということもできない。
　
　以上のことを踏まえると，引用発明に，引用例３記載の技術を適用したとしても，（相違点４）に係る構成には到達せず，同構成は，当業者が容易に想到し得たこということができない。
（イ）　次に，（相違点５）に係る構成，及び（相違点６）に係る構成について検討する。
　補正後発明では，撮影画像および日付情報を関連付けた関連付け情報について，「前記ＵＲＬで特定されるプレイ画像である対象プレイ画像を含むプレイ情報」であること（（相違点５）に係る構成）について特定されている。また，補正後発明では，端末装置に表示される撮影画像が，前記ＵＲＬで特定されるプレイ画像である「対象プレイ画像」であること（（相違点６）に係る構成）について特定されている。
　ここで，画像提供装置にアクセスするＵＲＬによって，プレイ画像を特定することについて，容易想到といえないことは，上記（ア）で示したとおりである。そして，（相違点５）に係る構成，及び（相違点６）に係る構成は，いずれも，当該ＵＲＬで特定される「対象プレイ画像」についての構成であるから，（相違点４）に係る構成を前提とするものといえる。
　よって，（相違点４）に係る構成について，容易想到といえない以上，（相違点５）に係る構成，及び（相違点６）に係る構成についても，容易想到ということはできない。
（ウ）　以上によれば，上記（相違点４）ないし（相違点６）に係る構成は，いずれも，引用発明に引用例３記載の技術を適用したとしても，当業者が容易に想到し得たものということができない。
ウ　以上のように，上記（相違点４）ないし（相違点６）に係る構成については，当業者が容易に想到し得たということができないから，補正後発明は，引用発明，引用例２記載の技術及び引用例３記載の技術に基づいて，当業者が容易になし得たものであるということはできない。
　さらに，他に独立して特許を受けることができない理由も発見しない。
エ　よって，本件補正は，特許法第１７条の２第６項において準用する同法第１２６条第７項の規定に適合する。
第３　本願発明
　本件補正は上記のとおり，特許法第１７条の２第３項ないし第６項の規定に適合するから，本願の請求項１ないし８に係る発明は，本件補正により補正された特許請求の範囲の請求項１ないし８に記載された事項により特定されるとおりのものである。
　そして，請求項６に係る発明である補正後発明は，上記第２の３に示したとおり，引用発明，引用例２記載の技術及び引用例３記載の技術に基づいて当業者が容易に発明をすることができたものではない。
　また，請求項７，８に係る発明は，補正後発明を，それぞれ「プログラム」，「方法」として特定した発明であるから，同様に，当業者が容易に発明をすることができたものではない。
　
　次いで，請求項１に係る発明についてみると，同発明は，補正後発明の「画像提供装置」に加え，「端末装置」を含んだ「画像提供システム」の発明であって，補正後発明の発明特定事項に，端末装置の発明特定事項がさらに加わることによって限定された発明であるといえる。したがって，補正後発明について当業者が容易に発明をすることができたものということができない以上，この請求項１に係る発明も，当業者が容易に発明をすることができたものではない。
　さらに，請求項１に係る発明を，直接又は間接的に引用する請求項２ないし５に係る発明は，請求項１に係る発明をさらに限定した発明であるから，当業者が引用発明に基づいて容易に発明をすることができたものではない。
　したがって，本願については，原査定の拒絶理由を検討しても，その理由によって拒絶すべきものとすることはできない。
　また，他に本願を拒絶すべき理由を発見しない。 
　よって，結論のとおり審決する。